(57)【特許請求の範囲】
【請求項１】
信号送信方法であって、前記方法が、
基地局によって、第1のキャリア上の第1のセルにおいて送信されるべき第1のキャリア信号と第2のキャリア上の第2のセルにおいて送信されるべき第2のキャリア信号とを決定するステップと、
前記基地局によって、同じ直交周波数分割多重OFDMシンボル内で、前記第1のキャリア信号においてパイロットを送信するために使用されるタイプBシンボルと、前記第2のキャリア信号においてパイロットを送信するために使用されるタイプBシンボルとが異なる物理ポートにマッピングされ、N個の物理チャネルの各々において送信される信号の総電力が遠隔無線ユニットRRUの定格電力以下であるように、前記第1のキャリア信号と前記第2のキャリア信号とを前記RRUのN個の物理ポートにマッピングするステップと、
前記基地局によって、前記N個の物理ポートを介して前記第1のキャリア信号と前記第2のキャリア信号とを送信するステップと
を含む、信号送信方法。
【請求項２】
前記第1のキャリア信号がN個のアンテナポートに対応し、前記第2のキャリア信号がN個のアンテナポートに対応し、
前記基地局によって前記第1のキャリア信号と前記第2のキャリア信号とを遠隔無線ユニットRRUのN個の物理ポートにマッピングするステップが、
前記同じOFDMシンボル内で、前記第1のキャリア信号においてパイロットを送信するために使用される前記タイプBシンボルを送信するためのアンテナポート、および前記第2のキャリア信号においてパイロットを送信するために使用されないタイプBシンボルを送信するためのアンテナポートが同じ物理ポートにマッピングされるように、前記基地局によって、前記第1のキャリア信号に対応する前記N個のアンテナポートと、前記第2のキャリア信号に対応する前記N個のアンテナポートとを前記N個の物理ポートにマッピングするステップを含む、請求項1に記載の方法。
【請求項３】
Nが4であり、前記基地局によって、前記第1のキャリア信号に対応する前記N個のアンテナポートと、前記第2のキャリア信号に対応する前記N個のアンテナポートとを前記N個の物理ポートにマッピングするステップが、
前記基地局によって、前記第1のキャリア信号の第1のアンテナポートと前記第2のキャリア信号の第4のアンテナポートとを第1の物理ポートにマッピングするステップと、前記第1のキャリア信号の第3のアンテナポートと前記第2のキャリア信号の第2のアンテナポートとを第2の物理ポートにマッピングするステップと、前記第1のキャリア信号の第2のアンテナポートと前記第2のキャリア信号の第3のアンテナポートとを第3の物理ポートにマッピングするステップと、前記第1のキャリア信号の第4のアンテナポートと前記第2のキャリア信号の第1のアンテナポートとを第4の物理ポートにマッピングするステップとを含む、請求項2に記載の方法。
【請求項４】
基地局によって、第1のキャリア上の第1のセルにおいて送信されるべき第1のキャリア信号と、第2のキャリア上の第2のセルにおいて送信されるべき第2のキャリア信号とを決定するステップの前に、前記方法が、
前記基地局によって、前記第1のキャリア信号を取得するために第1のベースバンド信号をプリコーディングするステップと、
前記基地局によって、前記第2のキャリア信号を取得するために第2のベースバンド信号をプリコーディングするステップと
をさらに含む、請求項1から3のいずれか一項に記載の方法。
【請求項５】
前記基地局が、ロングタームエボリューションLTEにおける進化型NodeB(eNB)である、請求項1から4のいずれか一項に記載の方法。
【請求項６】
基地局であって、前記基地局が、
第1のキャリア上の第1のセルにおいて送信されるべき第1のキャリア信号と第2のキャリア上の第2のセルにおいて送信されるべき第2のキャリア信号とを決定するように構成される決定ユニットと、
同じ直交周波数分割多重OFDMシンボル内で、前記第1のキャリア信号においてパイロットを送信するために使用されるタイプBシンボルと、前記第2のキャリア信号においてパイロットを送信するために使用されるタイプBシンボルとが異なる物理ポートにマッピングされ、N個の物理チャネルの各々において送信される信号の総電力が遠隔無線ユニットRRUの定格電力以下であるように、前記決定ユニットによって決定される前記第1のキャリア信号と前記第2のキャリア信号とを前記RRUのN個の物理ポートにマッピングするように構成されるマッピングユニットと、
前記マッピングユニットによってマッピングされる前記N個の物理ポートを介して前記第1のキャリア信号と前記第2のキャリア信号とを送信するように構成される送信ユニットと
を備える、基地局。
【請求項７】
前記第1のキャリア信号がN個のアンテナポートに対応し、前記第2のキャリア信号がN個のアンテナポートに対応し、
前記マッピングユニットが、
同じOFDMシンボル内で、前記第1のキャリア信号においてパイロットを送信するために使用されるタイプBシンボルを送信するためのアンテナポートと、前記第2のキャリア信号においてパイロットを送信するために使用されないタイプBシンボルを送信するためのアンテナポートとが同じ物理ポートにマッピングされるように、前記第1のキャリア信号に対応するN個のアンテナポートと、前記第2のキャリア信号に対応するN個のアンテナポートとを前記N個の物理ポートにマッピングするように構成される、請求項6に記載の基地局。
【請求項８】
Nが4であり、前記マッピングユニットが、
前記第1のキャリア信号の第1のアンテナポートと前記第2のキャリア信号の第4のアンテナポートとを第1の物理ポートにマッピングし、前記第1のキャリア信号の第3のアンテナポートと前記第2のキャリア信号の第2のアンテナポートとを第2の物理ポートにマッピングし、前記第1のキャリア信号の第2のアンテナポートと前記第2のキャリア信号の第3のアンテナポートとを第3の物理ポートにマッピングし、前記第1のキャリア信号の第4のアンテナポートと前記第2のキャリア信号の第1のアンテナポートとを第4の物理ポートにマッピングするように構成される、請求項7に記載の基地局。
【請求項９】
前記基地局が処理ユニットをさらに備え、
前記処理ユニットが、前記第1のキャリア上の前記第1のセルにおいて送信されるべき前記第1のキャリア信号と、前記第2のキャリア上の前記第2のセルにおいて送信されるべき前記第2のキャリア信号とが決定される前に、前記第1のキャリア信号を取得するために第1のベースバンド信号をプリコーディングし、前記第2のキャリア信号を取得するために第2のベースバンド信号をプリコーディングするように構成される、請求項6から8のいずれか一項に記載の基地局。
【請求項１０】
前記基地局が、ロングタームエボリューションLTEにおける進化型NodeB(eNB)である、請求項6から9のいずれか一項に記載の基地局。
【発明の詳細な説明】
【技術分野】
【０００１】
本出願の実施形態は、無線通信の分野に関し、より詳細には、無線通信の分野における信号送信方法および基地局に関する。
【背景技術】
【０００２】
マルチアンテナ送信技術は、複数のアンテナを使用することによって送信端および受信端においてデータが送信および受信されることを意味する。マルチアンテナ送信技術は、空間リソースを完全に使用することができ、無線チャネルの有効帯域幅を増加させることができ、通信システムの容量を大幅に改善することができ、ローカルエリアネットワークの伝送速度を増加させることができる。現在、マルチアンテナ技術が、第3世代パートナーシッププロジェクト(The 3rd Generation Partnership Project、3GPP)ロングタームエボリューション(Long Term Evolution、LTE)技術仕様に重要な機能として導入されている。今日、ネットワークアプリケーションの開発が増加するとともに、マルチアンテナワイヤレスネットワークデバイスがよりよい選択になる。
【０００３】
既存の技術的解決策において、マルチキャリア2T(送信、Transmit)2R(受信、Receive)が4T4Rに発展するにつれて電力を2倍にすることができない場合、例えば、2×40Wの2T2Rが4T4Rに発展するときに、コストのために電力が4×40Wに達することができないが、4×20Wにのみ設定することができる場合、ネットワークカバレッジエリアが縮小される可能性がある。ネットワークカバレッジエリアは、セル固有参照信号(Cell-Specific Reference Signal、CRS)の電力を増加させることによって維持され得るが、ネットワーク内の無線周波数チャネルを介して送信されるマルチキャリア信号の出力電力は、無線周波数電力増幅器の能力を超える可能性がある。
【０００４】
しかしながら、無線周波数チャネルの出力電力が無線周波数電力増幅器の能力を超えないことを確実にするために、4Tネットワーク内のPbの電力が減少する必要がある。結果として、無線周波数チャネルの出力電力は、減少し、比較的低い電力利用を引き起こし、データチャネル性能に影響を及ぼす。
【発明の概要】
【課題を解決するための手段】
【０００５】
本出願の実施形態は、無線周波数チャネルの出力電力を増加させ、電力利用を改善するための信号送信方法および基地局を提供する。
【０００６】
第1の態様によれば、本出願の一実施形態は、信号送信方法を提供し、方法は、
基地局によって、第1のキャリア上の第1のセルにおいて送信されるべき第1のキャリア信号と第2のキャリア上の第2のセルにおいて送信されるべき第2のキャリア信号とを決定するステップと、
基地局によって、同じ直交周波数分割多重(Orthogonal Frequency Division Multiplexing、OFDM)シンボル内で、第1のキャリア信号においてパイロットを送信するために使用されるタイプBシンボルと、第2のキャリア信号においてパイロットを送信するために使用されるタイプBシンボルとが異なる物理ポートにマッピングされ、N個の物理チャネルの各々において送信される信号の総電力が遠隔無線ユニット(Radio Remote Unit、RRU)の定格電力以下であるように、第1のキャリア信号と第2のキャリア信号とをRRUのN個の物理ポートにマッピングするステップと、
基地局によって、N個の物理ポートを介して第1のキャリア信号と第2のキャリア信号とを送信するステップと
を含む。
【０００７】
本出願の本実施形態において提供される信号送信方法によれば、2Tから4Tへのアップグレード中に、複数のキャリアにおいてパイロット位置を送信するために使用されるタイプBシンボルは、同じOFDMシンボル内で互い違いに送信され、それによって、無線周波数チャネルの出力電力が無線周波数電力増幅器の能力を超えず、ネットワークカバレッジエリアが変化しないままであるという前提で、無線周波数チャネルの出力電力を増加させ、電力利用を改善する。
【０００８】
3GPP LTEプロトコルにおいて、タイプAシンボルがパイロット位置を有さないシンボルを表し、タイプBシンボルがパイロット位置を有するシンボルを表すことは、理解されるべきである。
【０００９】
タイプBシンボルが、パイロットを送信するために使用されるタイプBシンボルと、パイロットを送信するために使用されないタイプBシンボルとにさらに分類され得、パイロットを送信するために使用されるタイプBシンボルの電力が、パイロットを送信するために使用されないタイプBシンボルの電力よりも大きいことは、さらに理解されるべきである。
【００１０】
本出願の本実施形態において、第1のキャリア信号が基地局によって第1のキャリア上の第1のセルにおいて送信されるべき信号であり、第2のキャリア信号が基地局によって第2のキャリア上の第2のセルにおいて送信されるべき信号であり、ここで第1のキャリアが第2のキャリアとは異なることは、さらに理解されるべきである。
【００１１】
本出願の本実施形態がマルチキャリアマルチ送信アンテナシステムに適用され得ることは、さらに理解されるべきである。本出願の本実施形態において、2つのキャリアのみが例として使用されるが、本出願は、それに限定されない。
【００１２】
第1の態様に関して、第1の態様の第1の可能な実装形態において、第1のキャリア信号は、N個のアンテナポートに対応し、第2のキャリア信号は、N個のアンテナポートに対応し、基地局によって第1のキャリア信号と第2のキャリア信号とを遠隔無線ユニットRRUのN個の物理ポートにマッピングするステップは、同じOFDMシンボル内で、第1のキャリア信号においてパイロットを送信するために使用されるタイプBシンボルを送信するためのアンテナポートと、第2のキャリア信号においてパイロットを送信するために使用されないタイプBシンボルを送信するためのアンテナポートとが同じ物理ポートにマッピングされるように、基地局によって、第1のキャリア信号に対応するN個のアンテナポートと、第2のキャリア信号に対応するN個のアンテナポートとをN個の物理ポートにマッピングするステップを含む。
【００１３】
オプションで、基地局は、同じOFDMシンボル内で、第1のキャリア信号においてパイロットを送信するために使用されるタイプBシンボルを送信するためのアンテナポートと、第2のキャリア信号においてパイロットを送信するために使用されないタイプBシンボルを送信するためのアンテナポートとが同じ物理ポートにマッピングされ、第1のキャリアおよび第2のキャリアが事前設定されたマッピング関係に基づいてN個の物理ポートにマッピングされるように、第1のキャリア信号に対応するN個のアンテナポートとN個の物理ポートとのマッピング関係と、第2のキャリア信号に対応するN個のアンテナポートとN個の物理ポートとのマッピング関係とを事前設定してもよい。これは、本出願の本実施形態において限定されない。
【００１４】
本出願の本実施形態において提供される信号送信方法によれば、2Tから4Tへのアップグレード中、複数のキャリアにおいてパイロット位置を送信するために使用されるタイプBシンボルは、同じOFDMシンボル内で互い違いに送信され、それによって、無線周波数チャネルの出力電力が無線周波数電力増幅器の能力を超えず、ネットワークカバレッジエリアが変化しないままであるという前提で、無線周波数チャネルの出力電力を増加させ、電力利用を改善する。
【００１５】
第1の態様の第1の可能な実装形態に関して、第1の態様の第2の可能な実装形態において、Nが4であり、基地局によって、第1のキャリア信号に対応するN個のアンテナポートと、第2のキャリア信号に対応するN個のアンテナポートとをN個の物理ポートにマッピングするステップは、基地局によって、第1のキャリア信号の第1のアンテナポートと第2のキャリア信号の第4のアンテナポートとを第1の物理ポートにマッピングするステップと、第1のキャリア信号の第3のアンテナポートと第2のキャリア信号の第2のアンテナポートとを第2の物理ポートにマッピングするステップと、第1のキャリア信号の第2のアンテナポートと第2のキャリア信号の第3のアンテナポートとを第3の物理ポートにマッピングするステップと、第1のキャリア信号の第4のアンテナポートと第2のキャリア信号の第1のアンテナポートとを第4の物理ポートにマッピングするステップとを含む。
【００１６】
3GPP LTEプロトコルにおいて指定される4つのアンテナポートのパイロットパターンによれば、1スロット内で、アンテナポートに対して、タイプAシンボルが2/3/5/6の番号が付けられたOFDMシンボルにおいて送信され、タイプBシンボルが0/1/4の番号が付けられたOFDMシンボルにおいて送信され、ここで、アンテナポート0およびアンテナポート1に対して、パイロットを送信するために使用されるタイプBシンボルは、0/4の番号が付けられたOFDMシンボルにおいて送信され、パイロットを送信するために使用されないタイプBシンボルは、1の番号が付けられたOFDMシンボルにおいて送信され、アンテナポート2およびアンテナポート3に対して、パイロットを送信するために使用されるタイプBシンボルは、1の番号が付けられたOFDMシンボルにおいて送信され、パイロットを送信するために使用されないタイプBシンボルは、0/4の番号が付けられたOFDMシンボルにおいて送信されることがわかることが理解されるべきである。
【００１７】
オプションで、基地局は、同じOFDMシンボル内で、第1のキャリア信号と第2のキャリア信号とにおいてパイロットを送信するために使用されるタイプBシンボルが異なる物理ポートを介して送信されるように、4つのアンテナポートのパイロットパターンに基づいて、第1のキャリア信号に対応するN個のアンテナポートとN個の物理ポートとのマッピング関係と、第2のキャリア信号に対応するN個のアンテナポートとN個の物理ポートとのマッピング関係とを決定してもよい。
【００１８】
例えば、マルチキャリア4Tシナリオにおいて、基地局は、以下のように事前設定してもよい。物理ポートAが第1のキャリア信号のアンテナポート0および第2のキャリア信号のアンテナポート3に対応し、物理ポートBが第1のキャリア信号のアンテナポート2および第2のキャリア信号のアンテナポート1に対応し、物理ポートCが第1のキャリア信号のアンテナポート1および第2のキャリア信号のアンテナポート2に対応し、物理ポートDが第1のキャリア信号のアンテナポート3および第2のキャリア信号のアンテナポート0に対応する。
【００１９】
別の例では、マルチキャリア4Tシナリオにおいて、基地局は、以下のように事前設定してもよい。物理ポートAが第1のキャリア信号のアンテナポート0および第2のキャリア信号のアンテナポート2に対応し、物理ポートBが第1のキャリア信号のアンテナポート2および第2のキャリア信号のアンテナポート0に対応し、物理ポートCが第1のキャリア信号のアンテナポート1および第2のキャリア信号のアンテナポート3に対応し、物理ポートDが第1のキャリア信号のアンテナポート3および第2のキャリア信号のアンテナポート1に対応する。
【００２０】
第1の態様、または第1の態様の第1もしくは第2の可能な実装形態に関して、第1の態様の第3の可能な実装形態において、基地局によって、第1のキャリア上の第1のセルにおいて送信されるべき第1のキャリア信号と、第2のキャリア上の第2のセルにおいて送信されるべき第2のキャリア信号とを決定するステップの前に、方法は、基地局によって、第1のキャリア信号を取得するために第1のベースバンド信号をプリコーディングするステップと、基地局によって、第2のキャリア信号を取得するために第2のベースバンド信号をプリコーディングするステップとをさらに含む。
【００２１】
オプションで、第1のキャリア信号と第2のキャリア信号の両方がプリコーディングされた信号であってもよい。
【００２２】
第1の態様のいずれか1つ、または第1の態様の第1から第3の可能な実装形態に関して、第1の態様の第4の可能な実装形態において、基地局は、ロングタームエボリューションLTEにおける進化型NodeB(eNB)である。
【００２３】
第2の態様によれば、本出願の一実施形態は、基地局を提供し、基地局は、
第1のキャリア上の第1のセルにおいて送信されるべき第1のキャリア信号と第2のキャリア上の第2のセルにおいて送信されるべき第2のキャリア信号とを決定するように構成される決定ユニットと、
同じ直交周波数分割多重OFDMシンボル内で、第1のキャリア信号においてパイロットを送信するために使用されるタイプBシンボルと、第2のキャリア信号においてパイロットを送信するために使用されるタイプBシンボルとが異なる物理ポートにマッピングされ、N個の物理チャネルの各々において送信される信号の総電力がRRUの定格電力以下であるように、決定ユニットによって決定される第1のキャリア信号と第2のキャリア信号とを遠隔無線ユニットRRUのN個の物理ポートにマッピングするように構成されるマッピングユニットと、
マッピングユニットによってマッピングされるN個の物理ポートを介して第1のキャリア信号と第2のキャリア信号とを送信するように構成される送信ユニットと
を含む。
【００２４】
本出願の本実施形態において提供される基地局によれば、2Tから4Tへのアップグレード中に、複数のキャリアにおいてパイロット位置を送信するために使用されるタイプBシンボルは、同じOFDMシンボル内で互い違いに送信され、それによって、無線周波数チャネルの出力電力が無線周波数電力増幅器の能力を超えず、ネットワークカバレッジエリアが変化しないままであるという前提で、無線周波数チャネルの出力電力を増加させ、電力利用を改善する。
【００２５】
第2の態様に関して、第2の態様の第1の可能な実装形態において、第1のキャリア信号は、N個のアンテナポートに対応し、第2のキャリア信号は、N個のアンテナポートに対応し、マッピングユニットは、具体的には、同じOFDMシンボル内で、第1のキャリア信号においてパイロットを送信するために使用されるタイプBシンボルを送信するためのアンテナポートと、第2のキャリア信号においてパイロットを送信するために使用されないタイプBシンボルを送信するためのアンテナポートとが同じ物理ポートにマッピングされるように、第1のキャリア信号に対応するN個のアンテナポートと、第2のキャリア信号に対応するN個のアンテナポートとをN個の物理ポートにマッピングするように構成される。
【００２６】
第2の態様の第1の可能な実装形態に関して、第2の態様の第2の可能な実装形態において、Nが4であり、マッピングユニットは、具体的には、第1のキャリア信号の第1のアンテナポートと第2のキャリア信号の第4のアンテナポートとを第1の物理ポートにマッピングし、第1のキャリア信号の第3のアンテナポートと第2のキャリア信号の第2のアンテナポートとを第2の物理ポートにマッピングし、第1のキャリア信号の第2のアンテナポートと第2のキャリア信号の第3のアンテナポートとを第3の物理ポートにマッピングし、第1のキャリア信号の第4のアンテナポートと第2のキャリア信号の第1のアンテナポートとを第4の物理ポートにマッピングするように構成される。
【００２７】
第2の態様、または第2の態様の第1もしくは第2の可能な実装形態に関して、第2の態様の第3の可能な実装形態において、基地局は、処理ユニットをさらに含み、処理ユニットは、第1のキャリア上の第1のセルにおいて送信されるべき第1のキャリア信号と、第2のキャリア上の第2のセルにおいて送信されるべき第2のキャリア信号とが決定される前に、第1のキャリア信号を取得するために第1のベースバンド信号をプリコーディングし、第2のキャリア信号を取得するために第2のベースバンド信号をプリコーディングするように構成される。
【００２８】
第2の態様のいずれか1つ、または第2の態様の第1から第3の可能な実装形態に関して、第2の態様の第4の可能な実装形態において、基地局は、ロングタームエボリューションLTEにおける進化型NodeB(eNB)である。
【００２９】
第3の態様によれば、本出願の一実施形態は、基地局を提供し、基地局は、トランシーバと、メモリと、プロセッサとを含む。トランシーバ、メモリ、およびプロセッサは、制御および/またはデータ信号を転送するために、内部接続経路を介して互いに通信する。メモリは、命令を記憶するように構成され、プロセッサは、メモリ内に記憶された命令を実行し、信号を送信するようにトランシーバを制御するように構成される。加えて、メモリ内に記憶された命令を実行するとき、プロセッサは、第1の態様、または第1の態様の任意の可能な実装形態における方法を実施することができる。
【００３０】
第4の態様によれば、本出願は、コンピュータプログラムを記憶するように構成されるコンピュータ可読媒体を提供し、ここで、コンピュータプログラムは、第1の態様、または第1の態様の任意の可能な実装形態における方法を実行するために使用される命令を含む。
【図面の簡単な説明】
【００３１】
【図１】本出願の一実施形態による信号送信方法の概略フローチャートである。
【図２】本出願の一実施形態による4つのアンテナポートのパイロットパターンを示す図である。
【図３】本出願の一実施形態による別の信号送信方法の概略フローチャートである。
【図４】本出願の一実施形態による基地局の概略ブロック図である。
【図５】本出願の一実施形態による別の基地局の概略ブロック図である。
【発明を実施するための形態】
【００３２】
以下は、添付図面を参照して本出願における実施形態の技術的解決策を説明する。
【００３３】
本出願の実施形態の技術的解決策は、以下の通信システム、例えば、ロングタームエボリューション(Long Term Evolution、LTE)システムおよび将来のワイヤレス通信システムに適用され得ることが理解されるべきである。LTEシステムは、LTE周波数分割複信(Frequency Division Duplex、FDD)システム、LTE時分割複信(Time Division Duplex、TDD)システムなどを含む。LTEシステムは、説明のために本出願の実施形態において例として使用される。
【００３４】
本出願の実施形態におけるユーザ機器(User Equipment、UE)は、端末(Terminal)、移動局(Mobile Station、MS)、モバイル端末(Mobile Terminal)などと呼ばれる場合がある。ユーザ機器は、無線アクセスネットワーク(Radio Access Network、RAN)を介して1つまたは複数のコアネットワークと通信してもよい。例えば、ユーザ機器は、携帯電話(「セルラ」電話とも呼ばれる)、またはモバイル端末を有するコンピュータなどであってもよい。例えば、ユーザ機器は、無線アクセスネットワークと音声および/またはデータを交換する、携帯用の、ポケットサイズの、ハンドヘルドの、コンピュータ内蔵型の、または車載のモバイル装置であってもよい。
【００３５】
本出願の実施形態における基地局は、LTEにおける進化型NodeB(Evolved NodeB、eNB)であってもよく、または将来のワイヤレス通信システムにおける基地局であってもよい。
【００３６】
本出願の実施形態におけるキャリア信号は、セル固有参照信号(Cell-Specific Reference Signal、CRS)、物理ダウンリンク共有チャネル(Physical Downlink Shared Channel、PDSCH)上で送信される信号、パケットブロードキャスト制御チャネル(Packet broadcast Control Channel、PBCCH)上で送信される信号、物理ダウンリンク制御チャネル(Physical Downlink Control Channel、PDCCH)上で送信される信号、物理ハイブリッドARQインジケータチャネル(Physical Hybrid ARQ Indicator Channel、PHICH)上で送信される信号、物理制御フォーマットインジケータチャネル(Physical Control Format Indicator Channel、PCFICH)上で送信される信号、一次同期信号(Primary Synchronization Signal、PSS)、二次同期信号(Secondary Synchronization Signal、SSS)などであってもよい。
【００３７】
3GPP LTEプロトコルにおいて、タイプAシンボルは、パイロット位置を有さないシンボルを表し、タイプBシンボルは、パイロット位置を有するシンボルを表す。タイプBシンボルは、パイロットを送信するために使用されるタイプBシンボルと、パイロットを送信するために使用されないタイプBシンボルとにさらに分類され得、パイロットを送信するために使用されるタイプBシンボルの電力は、パイロットを送信するために使用されないタイプBシンボルの電力よりも大きい。Paは、パイロット信号を送信するためのリソース要素(Resource Element、RE)に対するタイプAシンボルを送信するためのREの信号電力オフセットを表す。例えば、Pa=0は、タイプAシンボルを送信するためのREの信号電力がパイロット信号を送信するためのREの信号電力と等しいことを示す。Pa=-3は、タイプAシンボルを送信するためのREの信号電力がパイロット信号を送信するためのREの信号電力よりも3dBm低いことを示す。Pbは、信号がタイプBシンボル上で送信される電力に対する信号がタイプAシンボル上で送信される電力の比の指標値である。例えば、信号がタイプBシンボル上で送信される電力に対する信号がタイプAシンボル上で送信される電力の比が2であるとき、対応する指標値Pbは、3であり、信号がタイプBシンボル上で送信される電力に対する信号がタイプAシンボル上で送信される電力の比が4/3であるとき、対応する指標値Pbは、2であり、信号がタイプBシンボル上で送信される電力に対する信号がタイプAシンボル上で送信される電力の比が1であるとき、対応する指標値Pbは、1であり、信号がタイプBシンボル上で送信される電力に対する信号がタイプAシンボル上で送信される電力の比が1.25であるとき、対応する指標値Pbは、0である。言い換えれば、Pbのより大きい値は、タイプAシンボルの電力に対するタイプBシンボルの電力の比のより小さい値を示す。
【００３８】
既存の技術的解決策において、マルチキャリアシナリオにおいて2Tから4Tへのアップグレード中に電力を2倍にすることができない場合、無線周波数チャネルの出力電力が無線周波数電力増幅器の能力を超えないことを保証するために、CRSの電力が低減される可能性がある。そのような構成は、LTEにおけるパイロットカバレッジの縮小を引き起こす可能性があり、マルチアンテナ技術におけるパイロットカバレッジ能力を低下させる可能性がある。本出願の技術的解決策によれば、2Tから4Tへのアップグレード中、無線周波数チャネルの出力電力が無線周波数電力増幅器の能力を超えないという前提で、CRS設定が変更されないこと、すなわち、マルチアンテナ技術におけるカバレッジ能力が変更されないことが保証され得る。言い換えれば、既存の解決策におけるマルチアンテナ(例えば、4T)技術と比較して、本出願の技術的解決策におけるマルチアンテナ(例えば、4T)技術は、パイロットカバレッジ能力を改善することができる。
【００３９】
既存の解決策において、信号が無線周波数ポートを介して複数のキャリア上で送信される電力が無線周波数電力増幅器の能力を超えないように、PaおよびPbの構成が修正され得る。例えば、帯域幅が20MHzであり、2Tから4Tへのアップグレード中に電力が依然として20Wであり、2倍にすることができない場合、CRSは、18.2dBmに設定され得、変更されないままであり、2TにおけるPa=-3およびPb=1は、Pa=-6およびPb=3に修正され得る。しかしながら、そのような構成変更は、タイプBシンボルの電力を減少させ、タイプBシンボル上の制御信号、物理ダウンリンク共有チャネルなどの電力を減少させ、ネットワーク性能指標の低下を引き起こす。本出願の実施形態によれば、マルチキャリアシナリオにおける2Tから4Tへのアップグレード中、無線周波数チャネルの出力電力が無線周波数電力増幅器の能力を超えず、ネットワークカバレッジが変化しないままであるという前提で、無線周波数チャネルの出力電力は、増加され得、電力利用は、改善され得る。
【００４０】
図1は、本出願の一実施形態による信号送信方法100の概略フローチャートである。方法100は、例えば、基地局によって実行されてもよく、方法は、N個の送信アンテナを有するマルチキャリア通信システムに適用されてもよく、ここで、Nは、4以上の偶数である。
【００４１】
S110.基地局は、第1のキャリア上の第1のセルにおいて送信されるべき第1のキャリア信号と、第2のキャリア上の第2のセルにおいて送信されるべき第2のキャリア信号とを決定する。
【００４２】
S120.基地局は、同じ直交周波数分割多重OFDMシンボル内で、第1のキャリア信号においてパイロットを送信するために使用されるタイプBシンボルと、第2のキャリア信号においてパイロットを送信するために使用されるタイプBシンボルとが異なる物理ポートにマッピングされ、N個の物理チャネルの各々において送信される信号の総電力がRRUの定格電力以下であるように、第1のキャリア信号と第2のキャリア信号とを遠隔無線ユニットRRUのN個の物理ポートにマッピングする。
【００４３】
S130.基地局は、N個の物理ポートを介して第1のキャリア信号と第2のキャリア信号とを送信する。
【００４４】
本出願の本実施形態において提供される信号送信方法によれば、2Tから4Tへのアップグレード中に、複数のキャリアにおいてパイロット位置を送信するために使用されるタイプBシンボルは、同じOFDMシンボル内で互い違いに送信され、それによって、無線周波数チャネルの出力電力が無線周波数電力増幅器の能力を超えず、ネットワークカバレッジが変化しないままであるという前提で、ネットワーク出力信号の電力を増加させ、電力利用を改善する。
【００４５】
本出願の本実施形態がマルチキャリアマルチ送信アンテナシステムに適用され得ることは、理解されるべきである。本出願の本実施形態において、2つのキャリアのみが例として使用されるが、本出願は、それに限定されない。
【００４６】
本出願の本実施形態において、第1のキャリア信号が基地局によって第1のキャリア上の第1のセルにおいて送信されるべき信号であり、第2のキャリア信号が基地局によって第2のキャリア上の第2のセルにおいて送信されるべき信号であり、ここで第1のキャリアが第2のキャリアとは異なることは、さらに理解されるべきである。
【００４７】
本出願の本実施形態において、第1のキャリア信号は、N個のアンテナポートに対応してもよく、第2のキャリア信号は、N個のアンテナポートに対応してもよく、N個の物理ポートは、基地局のN個の無線周波数チャネルに対応してもよく、第1のキャリア信号に対応するN個のアンテナポートの数、第2のキャリア信号に対応するN個のアンテナポートの数、およびN個の物理アンテナポートの数は、同じであってもよいことは、さらに理解されるべきである。
【００４８】
3GPP LTEプロトコルにおいて、タイプAシンボルは、パイロット位置を有さないシンボルを表し、タイプBシンボルは、パイロット位置を有するシンボルを表すことは、さらに理解されるべきである。タイプBシンボルは、パイロットを送信するために使用されるタイプBシンボルと、パイロットを送信するために使用されないタイプBシンボルとにさらに分類され得、パイロットを送信するために使用されるタイプBシンボルの電力は、パイロットを送信するために使用されないタイプBシンボルの電力よりも大きい。
【００４９】
オプションで、S120において、基地局が第1のキャリア信号と第2のキャリア信号とを遠隔無線ユニットRRUのN個の物理ポートにマッピングすることは、同じOFDMシンボル内で、第1のキャリア信号においてパイロットを送信するために使用されるタイプBシンボルを送信するためのアンテナポートと、第2のキャリア信号においてパイロットを送信するために使用されないタイプBシンボルを送信するためのアンテナポートとが同じ物理ポートにマッピングされるように、基地局によって、第1のキャリア信号に対応するN個のアンテナポートと、第2のキャリア信号に対応するN個のアンテナポートとをN個の物理ポートにマッピングすることであってもよい。
【００５０】
オプションで、基地局は、同じOFDMシンボル内で、第1のキャリア信号においてパイロットを送信するために使用されるタイプBシンボルを送信するためのアンテナポートと、第2のキャリア信号においてパイロットを送信するために使用されないタイプBシンボルを送信するためのアンテナポートとが同じ物理ポートにマッピングされ、第1のキャリアおよび第2のキャリアが事前設定されたマッピング関係に基づいてN個の物理ポートにマッピングされるように、第1のキャリア信号に対応するN個のアンテナポートとN個の物理ポートとのマッピング関係と、第2のキャリア信号に対応するN個のアンテナポートとN個の物理ポートとのマッピング関係とを事前設定してもよい。これは、本出願の本実施形態において限定されない。
【００５１】
本出願の本実施形態において提供される信号送信方法によれば、2Tから4Tへのアップグレード中、複数のキャリアにおいてパイロット位置を送信するために使用されるタイプBシンボルは、同じOFDMシンボル内で互い違いに送信され、それによって、無線周波数チャネルの出力電力が無線周波数電力増幅器の能力を超えず、ネットワークカバレッジが変化しないままであるという前提で、ネットワーク出力信号の電力を増加させ、電力利用を改善する。
【００５２】
オプションの実施形態において、2Tから4Tへのアップグレード中、基地局によって、第1のキャリア信号に対応するN個のアンテナポートと、第2のキャリア信号に対応するN個のアンテナポートとをN個の物理ポートにマッピングすることは、基地局によって、第1のキャリア信号の第1のアンテナポートと第2のキャリア信号の第4のアンテナポートとを第1の物理ポートにマッピングするステップと、第1のキャリア信号の第3のアンテナポートと第2のキャリア信号の第2のアンテナポートとを第2の物理ポートにマッピングするステップと、第1のキャリア信号の第2のアンテナポートと第2のキャリア信号の第3のアンテナポートとを第3の物理ポートにマッピングするステップと、第1のキャリア信号の第4のアンテナポートと第2のキャリア信号の第1のアンテナポートとを第4の物理ポートにマッピングすることであってもよい。
【００５３】
3GPP LTEプロトコルにおいて指定される4つのアンテナポートのパイロットパターンによれば、1スロット内で、アンテナポートに対して、タイプAシンボルが2/3/5/6の番号が付けられたOFDMシンボルにおいて送信され、タイプBシンボルが0/1/4の番号が付けられたOFDMシンボルにおいて送信され、ここで、アンテナポート0およびアンテナポート1に対して、パイロットを送信するために使用されるタイプBシンボルは、0/4の番号が付けられたOFDMシンボルにおいて送信され、パイロットを送信するために使用されないタイプBシンボルは、1の番号が付けられたOFDMシンボルにおいて送信され、アンテナポート2およびアンテナポート3に対して、パイロットを送信するために使用されるタイプBシンボルは、1の番号が付けられたOFDMシンボルにおいて送信され、パイロットを送信するために使用されないタイプBシンボルは、0/4の番号が付けられたOFDMシンボルにおいて送信されることがわかることが理解されるべきである。
【００５４】
オプションで、基地局は、同じOFDMシンボル内で、第1のキャリア信号と第2のキャリア信号とにおいてパイロットを送信するために使用されるタイプBシンボルが異なる物理ポートを介して送信されるように、4つのアンテナポートのパイロットパターンに基づいて、第1のキャリア信号に対応するN個のアンテナポートとN個の物理ポートとのマッピング関係と、第2のキャリア信号に対応するN個のアンテナポートとN個の物理ポートとのマッピング関係とを事前設定してもよい。
【００５５】
例えば、マルチキャリア4Tシナリオにおいて、基地局は、以下のように事前設定してもよい。物理ポートAが第1のキャリア信号のアンテナポート0および第2のキャリア信号のアンテナポート3に対応し、物理ポートBが第1のキャリア信号のアンテナポート2および第2のキャリア信号のアンテナポート1に対応し、物理ポートCが第1のキャリア信号のアンテナポート1および第2のキャリア信号のアンテナポート2に対応し、物理ポートDが第1のキャリア信号のアンテナポート3および第2のキャリア信号のアンテナポート0に対応する。
【００５６】
別の例では、マルチキャリア4Tシナリオにおいて、基地局は、以下のように事前設定してもよい。物理ポートAが第1のキャリア信号のアンテナポート0および第2のキャリア信号のアンテナポート2に対応し、物理ポートBが第1のキャリア信号のアンテナポート2および第2のキャリア信号のアンテナポート0に対応し、物理ポートCが第1のキャリア信号のアンテナポート1および第2のキャリア信号のアンテナポート3に対応し、物理ポートDが第1のキャリア信号のアンテナポート3および第2のキャリア信号のアンテナポート1に対応する。
【００５７】
オプションで、S110の前に、基地局は、第1のキャリア信号を取得するために第1のベースバンド信号をプリコーディングし、第2のキャリア信号を取得するために第2のベースバンド信号をプリコーディングしてもよい。
【００５８】
言い換えれば、第1のキャリア信号と第2のキャリア信号の両方がプリコーディングされた信号であってもよい。
【００５９】
オプションで、本出願の本実施形態における基地局は、ロングタームエボリューションLTEにおける進化型NodeB(eNB)であってもよい。
【００６０】
図2は、本出願の一実施形態による4つのアンテナの異なるポートのパイロットパターンを示す。図2における各小さいグリッドは、1つのREを表し、1つのRBは、12のREを含み、各列は、1つのRBである。1つの小さいグリッドは、水平方向に1つのOFDMシンボルを表し、OFDMシンボルは、0から順番に番号が付けられる。
【００６１】
3GPP LTEプロトコルにおいて、タイプAシンボルは、パイロット位置を有さないシンボルを表し、タイプBシンボルはパイロット位置を有するシンボルを表す。図2における2つのスロットにおいて、1つの小さいグリッドは、1つのREである。小さい黒いグリッドは、パイロットを送信するために使用されるパイロット位置であるREを表すために使用され、小さい網掛けのグリッドは、パイロットを送信するために使用されないパイロット位置であるREを表し、小さい白いグリッドは、タイプAまたはタイプBの信号を送信するために使用されるREを表す。ポート(port)0、ポート1、ポート2、およびポート3は、4つのアンテナポート(antenna port)を表し、図2-1、図2-2、図2-3、および図2-4は、4つのアンテナポートのパイロットパターンを示す。
【００６２】
タイプBシンボルが、パイロットを送信するために使用されるタイプBシンボルと、パイロットを送信するために使用されないタイプBシンボルとにさらに分類され得、パイロットを送信するために使用されるタイプBシンボルの電力がパイロットを送信するために使用されないタイプBシンボルの電力よりも大きいことは、さらに理解されるべきである。
【００６３】
図2において、黒いグリッドは、パイロットを送信するために使用されるREを表すために使用され、網掛けのグリッドは、非パイロットまたはパイロット信号を送信するために使用されないREを表し、白いグリッドは、非パイロット信号を送信するために使用されるREを表す。プロトコルによれば、任意のパイロット位置において、パイロット信号は、4つのアンテナポートのうちの少なくとも1つにおいて送信され、非パイロット信号もパイロットも他のポートにおいて送信されない。
【００６４】
パイロット位置を含む同じシンボルにおいて、第1および第2のベースバンド信号のいずれも、例えば、図2-1および図2-2における第2の列における1の番号が付けられたOFDMシンボルにおいて、パイロットを送信するために使用され得ないことがさらに理解されるべきである。この場合、第3および第4のベースバンド信号が、例えば、図2-3および図2-4における第2の列における1の番号が付けられたOFDM信号において、パイロット位置においてパイロット信号を送信するために使用されてもよい。加えて、パイロット位置を含む同じシンボルにおいて、パイロットを送信するための第1および第2のベースバンド信号のシンボルのサブキャリアが異なり、第1のベースバンド信号のパイロットを送信するために使用されるシンボルが配置されるサブキャリア、および第2のベースバンド信号のパイロットを送信するために使用されるシンボルが配置されるサブキャリアは、シンボル上のパイロット位置のために使用されるすべてのサブキャリアを一緒に構成する。例えば、図2-1および図2-2の各々における第1の列において、パイロットを送信するために使用され得る合計4つのパイロット位置REが存在し、ここで、図2-1における第1のベースバンド信号は、パイロットを送信するために使用される2つのREを有し、図2-2における第2のベースバンド信号は、パイロットを送信するために使用される2つのREを有するが、2つのベースバンド信号においてパイロットを送信するために使用されるREの位置は、重ならない。
【００６５】
したがって、0の番号が付けられたOFDMシンボルについて、図2-1における第1の列において、2つのREがパイロットを送信するために使用され、8つのREが非パイロットタイプB信号を送信するために使用され、2つのREが非パイロット信号またはパイロットを送信するために使用されない。同様に、0の番号が付けられたOFDMシンボルについて、図2-2における第1の列において、2つのREがパイロットを送信するために使用され、8つのREが非パイロットタイプB信号を送信するために使用され、2つのREが非パイロット信号またはパイロットを送信するために使用されない。したがって、0の番号が付けられたOFDMシンボルにおいて、アンテナポートの電力は、図2-1および図2-2において同じである。同様に、0の番号が付けられたOFDMシンボルにおいて、信号が送信される電力は、図2-3および図2-4における各OFDMシンボルにおいて同じである。
【００６６】
図2における4つのアンテナポートのパイロットパターンによれば、1スロット内で、アンテナポートに対して、タイプAシンボルが2/3/5/6の番号が付けられたOFDMシンボルにおいて送信され、タイプBシンボルが0/1/4の番号が付けられたOFDMシンボルにおいて送信され、ここで、アンテナポート0およびアンテナポート1に対して、パイロットを送信するために使用されるタイプBシンボルは、0/4の番号が付けられたOFDMシンボルにおいて送信され、パイロットを送信するために使用されないタイプBシンボルは、1の番号が付けられたOFDMシンボルにおいて送信され、アンテナポート2およびアンテナポート3に対して、パイロットを送信するために使用されるタイプBシンボルは、1の番号が付けられたOFDMシンボルにおいて送信され、パイロットを送信するために使用されないタイプBシンボルは、0/4の番号が付けられたOFDMシンボルにおいて送信されることがわかる。
【００６７】
既存の2キャリア2Tネットワーク(帯域幅が20MHzであり、CRSが18.2dBmに設定され、Pa=-3、およびPb=1である)が2キャリア4Tにアップグレードされた後、元のネットワークカバレッジエリアを保証するために、CRSは、18.2dBmに設定され、(Pa、Pb)は、(-6、1)に設定されることが理解されるべきである。結果として、ネットワーク出力信号の電力は、無線周波数チャネルの電力増幅能力を超える。既存の2Tから4Tへのアップグレード中、ネットワーク出力信号の電力が無線周波数チャネルの電力増幅能力を超えないことを保証するために、PaおよびPbの電力は、減少される必要があり、したがって、4TネットワークにおけるCRSは、18.2dBmに設定され、(Pa、Pb)は、(-6、3)に設定される。
【００６８】
Table 1(表1)は、既存の2キャリア2Tネットワーク(帯域幅が20MHzであり、CRSが18.2dBmに設定され、(Pa、Pb)=(-3、1))およびアップグレードされた2キャリア4Tネットワーク(帯域幅が20MHzであり、CRSが18.2dBmに設定され、(Pa、Pb)=(-6、3))のアップグレードの構成情報を示す。
【００６９】
【表１】
0006790275.tif 000002
【００７０】
Table 1(表1)に示すように、2Tネットワークが4Tネットワークにアップグレードされた後、キャリア1について、パイロットを送信するために使用されないタイプBシンボルが配置されるシンボルの電力(例えば、Table 1(表1)におけるイタリック体の数字)は、パイロットを送信するために使用されるタイプBシンボルが配置されるシンボルの電力(例えば、Table 1(表1)における太字の数字)よりも小さいので、RRUによって提供され得る最大出力電力が40Wである場合、Table 1(表1)に示す4T構成において、基地局は、同じOFDMシンボル内で、2つのキャリア信号においてパイロットを送信するために使用されないタイプBシンボルを送信してもよい。この場合、無線周波数チャネルの出力端における電力は、19.92Wのみであり、これは、無線周波数チャネルの定格電力よりもはるかに小さい。結果として、電力利用が比較的低く、データチャネル性能が低下する。
【００７１】
本出願の本実施形態における信号送信方法によれば、Table 1(表1)に記載された既存の4Tシナリオにおいて、4TネットワークにおけるCRSが18.2dBmに設定され、(Pa、Pb)が(-6、1)に設定されるように、Pbの構成が増加される。加えて、2つのキャリアにおいてパイロットを送信するために使用されないタイプBシンボルは、同じOFDMシンボル内で互い違いに送信される。既存の4Tと比較して、方法は、無線周波数チャネルの電力増幅能力が最大限に利用されることを前提として、無線周波数チャネルの出力電力を増加させ、電力利用を改善し、データチャネル性能を改善することができる。
【００７２】
図3は、本出願の一実施形態による別の信号送信方法の概略フローチャートである。図3に記載の信号送信方法は、例えば、基地局によって実行されてもよい。本出願の本実施形態において、2キャリア2Tネットワーク(CRS=18.2dBm、Pa=-3、およびPb=1)から2キャリア4Tネットワーク(CRS=18.2dBm、Pa=-6、およびPb=1)へのアップグレードのみが本出願の本実施形態を詳細に説明するための例として使用されるが、本出願の本実施形態は、それに限定されないことが理解されるべきである。
【００７３】
S310.基地局は、送信されるべき第1のキャリア信号に対応する4つのアンテナポートと4つの物理ポートとの第1のマッピング関係を決定する。
【００７４】
第1のキャリア信号に対応する4つのアンテナポートは、アンテナポート10、アンテナポート11、アンテナポート12、およびアンテナポート13であると仮定される。
【００７５】
4つの物理ポートは、物理ポートA、物理ポートB、物理ポートC、および物理ポートDであると仮定される。
【００７６】
具体的には、第1のマッピング関係は、以下のようなものである。アンテナポート10は、物理ポートAにマッピングされ、アンテナポート12は、物理ポートBにマッピングされ、アンテナポート11は、物理ポートCにマッピングされ、アンテナポート13は、物理ポートDにマッピングされる。
【００７７】
第1のキャリア信号は、4つの物理アンテナを使用することによって4つのアンテナポートを介して基地局によって第1のキャリア上の第1のセルにおいて送信されるべき信号であってもよいことが理解されるべきである。
【００７８】
S320.基地局は、送信されるべき第2のキャリア信号に対応する4つのアンテナポートと4つの物理ポートとの第2のマッピング関係を決定する。
【００７９】
第2のキャリア信号に対応する4つのアンテナポートは、アンテナポート20、アンテナポート21、アンテナポート22、およびアンテナポート23であると仮定される。
【００８０】
具体的には、第2のマッピング関係は、以下のようなものである。アンテナポート23は、物理ポートAにマッピングされ、アンテナポート21は、物理ポートBにマッピングされ、アンテナポート22は、物理ポートCにマッピングされ、アンテナポート20は、物理ポートDにマッピングされる。
【００８１】
第2のキャリア信号は、第1のキャリア信号と同じ4つの物理アンテナを使用することによって4つのアンテナポートを介して基地局によって第2のキャリア上の第2のセルにおいて送信されるべき信号であってもよく、ここで、第1のキャリアおよび第2のキャリアは、異なるキャリア周波数を有することが理解されるべきである。
【００８２】
S330.基地局は、第1のマッピング関係と第2のマッピング関係とに基づいて第1のキャリア信号と第2のキャリア信号とを4つの物理ポートにマッピングする。
【００８３】
具体的には、基地局が第1のマッピング関係および第2のマッピング関係に基づいて第1のキャリア信号と第2のキャリア信号とをN個の物理ポートにマッピングすることは、基地局が、物理ポートAを介してアンテナポート10における信号とアンテナポート23における信号とを送信し、物理ポートBを介してアンテナポート12における信号とアンテナポート21における信号とを送信し、物理ポートCを介してアンテナポート11における信号とアンテナポート22における信号とを送信し、物理ポートDを介してアンテナポート13における信号とアンテナポート20における信号とを送信することを意味する。
【００８４】
S340.基地局は、4つの物理ポートを介して第1のキャリア信号と第2のキャリア信号とを送信する。
【００８５】
4つの物理ポートは、基地局の4つの無線周波数チャネルに対応してもよく、基地局は、4つの無線周波数チャネル上で第1のキャリア信号と第2のキャリア信号とを送信してもよいことが理解されるべきである。
【００８６】
本出願の技術的解決策によれば、Table 2(表2)に示す4T(CRS=18.2dBm、Pa=-6、およびPb=1)ネットワークの構成情報が得られ得る。
【００８７】
【表２】
0006790275.tif 000003
【００８８】
Table 2(表2)に示すように、2Tネットワークが4Tネットワークにアップグレードされた後、キャリア1について、パイロットを送信するために使用されないタイプBシンボルの電力(例えば、Table 2(表2)におけるイタリック体の数字)は、パイロットを送信するために使用されるタイプBシンボルの電力(例えば、Table 2(表2)における太字の数字)よりも小さいので、RRUによって提供され得る最大出力電力が40Wである場合、Table 2(表2)に示す4T構成において、基地局は、2つのキャリア信号においてパイロットを送信するために使用されるタイプBシンボルを同じOFDMシンボル内で互い違いに送信する。この場合、ネットワーク無線周波数チャネルの出力端における電力は、39.77Wに達することができ、それによって、無線周波数チャネルの定格電力を最大限に利用し、データチャネル性能を改善する。
【００８９】
前述は、図1から図3を参照して本出願の実施形態による信号送信方法を詳細に説明し、以下は、図4および図5を参照して本出願の実施形態による基地局を説明する。
【００９０】
図4は、本出願の一実施形態による基地局400の概略ブロック図である。図4における基地局400は、決定ユニット410と、マッピングユニット420と、送信ユニット430とを含む。
【００９１】
決定ユニット410は、第1のキャリア上の第1のセルにおいて送信されるべき第1のキャリア信号と、第2のキャリア上の第2のセルにおいて送信されるべき第2のキャリア信号とを決定するように構成される。
【００９２】
マッピングユニット420は、同じ直交周波数分割多重OFDMシンボル内で、第1のキャリア信号においてパイロットを送信するために使用されるタイプBシンボルと、第2のキャリア信号においてパイロットを送信するために使用されるタイプBシンボルとが異なる物理ポートにマッピングされ、N個の物理チャネルの各々において送信される信号の総電力がRRUの定格電力以下であるように、決定ユニット410によって決定された第1のキャリア信号と第2のキャリア信号とを遠隔無線ユニットRRUのN個の物理ポートにマッピングするように構成される。
【００９３】
送信ユニット430は、マッピングユニット420によってマッピングされたN個の物理ポートを介して第1のキャリア信号と第2のキャリア信号とを送信するように構成される。
【００９４】
本発明の本実施形態において提供される基地局によれば、2Tから4Tへのアップグレード中に、複数のキャリアにおいてパイロット位置を送信するために使用されるタイプBシンボルは、同じOFDMシンボル内で互い違いに送信され、それによって、無線周波数チャネルの出力電力が無線周波数電力増幅器の能力を超えず、ネットワークカバレッジが変化しないままであるという前提で、ネットワーク出力信号の電力を増加させ、電力利用を改善する。
【００９５】
オプションで、第1のキャリア信号は、N個のアンテナポートに対応し、第2のキャリア信号は、N個のアンテナポートに対応し、マッピングユニットは、具体的には、同じOFDMシンボル内で、第1のキャリア信号においてパイロットを送信するために使用されるタイプBシンボルを送信するためのアンテナポート、および第2のキャリア信号においてパイロットを送信するために使用されないタイプBシンボルを送信するためのアンテナポートが同じ物理ポートにマッピングされるように、第1のキャリア信号に対応するN個のアンテナポートと、第2のキャリア信号に対応するN個のアンテナポートとをN個の物理ポートにマッピングするように構成される。
【００９６】
オプションで、2Tが4Tにアップグレードされるとき、マッピングユニットは、具体的には、第1のキャリア信号の第1のアンテナポートと第2のキャリア信号の第4のアンテナポートとを第1の物理ポートにマッピングし、第1のキャリア信号の第3のアンテナポートと第2のキャリア信号の第2のアンテナポートとを第2の物理ポートにマッピングし、第1のキャリア信号の第2のアンテナポートと第2のキャリア信号の第3のアンテナポートとを第3の物理ポートにマッピングし、第1のキャリア信号の第4のアンテナポートと第2のキャリア信号の第1のアンテナポートとを第4の物理ポートにマッピングするように構成される。
【００９７】
オプションで、基地局は、処理ユニットをさらに含んでもよく、処理ユニットは、第1のキャリア上の第1のセルにおいて送信されるべき第1のキャリア信号と、第2のキャリア上の第2のセルにおいて送信されるべき第2のキャリア信号とが決定される前に、第1のキャリア信号を取得するために第1のベースバンド信号をプリコーディングし、第2のキャリア信号を取得するために第2のベースバンド信号をプリコーディングするように構成される。
【００９８】
オプションで、基地局は、ロングタームエボリューションLTEにおける進化型NodeB(eNB)である。
【００９９】
オプションの例において、当業者は、基地局400が、具体的には、前述の実施形態100および方法の実施形態300における基地局であってもよく、基地局400は、前述の方法の実施形態100および方法の実施形態300における基地局に対応する様々な手順および/またはステップを実行するように構成されてもよいことを理解することができる。繰り返しを避けるために、詳細について本明細書では再び説明しない。
【０１００】
図5は、本出願の一実施形態による基地局500の概略ブロック図である。図5に示すように、基地局500は、プロセッサ510とトランシーバ520とを含む。
【０１０１】
プロセッサ510は、第1のキャリア上の第1のセルにおいて送信されるべき第1のキャリア信号と第2のキャリア上の第2のセルにおいて送信されるべき第2のキャリア信号とを決定し、同じ直交周波数分割多重OFDMシンボル内で、第1のキャリア信号においてパイロットを送信するために使用されるタイプBシンボルと、第2のキャリア信号においてパイロットを送信するために使用されるタイプBシンボルとが異なる物理ポートにマッピングされ、N個の物理チャネルの各々において送信される信号の総電力がRRUの定格電力以下であるように、第1のキャリア信号と第2のキャリア信号とを遠隔無線ユニットRRUのN個の物理ポートにマッピングするように構成される。
【０１０２】
トランシーバ520は、N個の物理ポートを介して第1のキャリア信号と第2のキャリア信号とを送信するように構成される。
【０１０３】
オプションの実施形態において、当業者は、基地局500が前述の方法の実施形態100および方法の実施形態300における基地局に対応する様々な手順および/またはステップを実行するように構成されてもよいことを理解することができる。繰り返しを避けるために、詳細について本明細書では再び説明しない。
【０１０４】
オプションで、基地局500は、メモリをさらに含んでもよく、ここで、メモリは、読み出し専用メモリとランダムアクセスメモリとを含んでもよく、プロセッサに命令とデータとを提供してもよい。メモリの一部は、不揮発性ランダムアクセスメモリをさらに含んでもよい。例えば、メモリは、デバイスタイプの情報をさらに記憶してもよい。プロセッサ510は、メモリ内に記憶された命令を実行するように構成されてもよく、命令を実行するとき、プロセッサは、前述の方法の実施形態における基地局に対応する様々なステップを実行してもよい。
【０１０５】
本出願の実施形態において、プロセッサは、中央処理装置(Central Processing Unit、CPU)であってもよく、または、プロセッサは、別の汎用プロセッサ、デジタル信号プロセッサ(DSP)、特定用途向け集積回路(ASIC)、フィールドプログラマブルゲートアレイ(FPGA)もしくは別のプログラマブル論理デバイス、ディスクリートゲートもしくはトランジスタロジックデバイス、ディスクリートハードウェア構成要素などであってもよいことが理解されるべきである。汎用プロセッサは、マイクロプロセッサであってもよく、または、プロセッサは、任意の従来のプロセッサなどであってもよい。
【０１０６】
実施プロセスにおいて、前述の方法におけるステップは、プロセッサ内のハードウェア集積論理回路を使用することによって、またはソフトウェアの形態における命令を使用することによって実施され得る。本発明の実施形態に関して開示される方法のステップは、ハードウェアプロセッサによって直接実行されてもよく、または、プロセッサ内のハードウェアとソフトウェアモジュールとの組み合わせを使用することによって実行されてもよい。ソフトウェアモジュールは、ランダムアクセスメモリ、フラッシュメモリ、読み出し専用メモリ、プログラマブル読み出し専用メモリ、電気的消去可能プログラマブルメモリ、またはレジスタのような、当該技術分野における成熟した記憶媒体内に配置されてもよい。記憶媒体は、メモリ内に配置され、プロセッサは、メモリ内の命令を実行し、プロセッサのハードウェアと組み合わせて前述の方法のステップを実施する。繰り返しを避けるために、詳細について本明細書では再び説明しない。
【０１０７】
本明細書における「および/または」という用語は、関連付けられたオブジェクトを説明する関連付け関係のみを説明し、3つの関係が存在し得ることを示すことが理解されるべきである。例えば、Aおよび/またはBは、以下の3つの場合、すなわち、Aのみが存在する、AとBの両方が存在する、およびBのみが存在する、を示す場合がある。加えて、本明細書中の「/」という文字は、一般に、関連付けられたオブジェクト間の「または」の関係を示す。
【０１０８】
前述のプロセスの順序番号は、本出願の様々な実施形態における実行順序を意味しないことが理解されるべきである。プロセスの実行順序は、プロセスの機能および内部ロジックに基づいて決定されるべきであり、本出願の実施形態の実装プロセスに対するいかなる限定としても解釈されるべきではない。
【０１０９】
当業者は、本明細書において開示される実施形態において説明される例と組み合わせて、ユニットおよびアルゴリズムステップが電子ハードウェアまたはコンピュータソフトウェアと電子ハードウェアの組み合わせによって実施されてもよいことを認識するであろう。機能がハードウェアまたはソフトウェアのどちらで実行されるかは、技術的解決策の特定の用途および設計制約条件に依存する。当業者は、各特定の用途に関する説明した機能を実施するために異なる方法を使用してもよいが、実装形態が本出願の範囲を超えるとみなされるべきではない。
【０１１０】
便利で簡潔な説明のために、前述のシステム、装置、およびユニットの詳細な作業プロセスについて、前述の方法の実施形態における対応するプロセスに対して参照がなされ得、詳細について本明細書では再び説明しないことが当業者によって明らかに理解されるであろう。
【０１１１】
本明細書において提供されるいくつかの実施形態において、開示されるシステム、装置、および方法は、他の方法で実施されてもよいことが理解されるべきである。例えば、説明した装置の実施形態は、単なる例である。例えば、ユニット分割は、単なる論理的機能分割であり、実際の実装形態では他の分割であってもよい。例えば、複数のユニットまたは構成要素は、組み合わされてもよく、もしくは別のシステムに統合されてもよく、または、いくつかの機能は、無視されてもよく、もしくは実行されなくてもよい。加えて、表示されたまたは論じられた相互結合または直接結合または通信接続は、いくつかのインターフェースを介して実施されてもよい。装置またはユニット間の間接的結合または通信接続は、電子的、機械的、または他の形態で実施されてもよい。
【０１１２】
別々の部分として説明されているユニットは、物理的に分離されていてもいなくてもよく、ユニットとして表示されている部分は、物理的ユニットであってもなくてもよく、1つの位置において配置されてもよく、または複数のネットワークユニット上に分散されてもよい。ユニットのうちのいくつかまたはすべては、本出願における実施形態の解決策の目的を達成するために、実際の要件に基づいて選択されてもよい。
【０１１３】
加えて、本出願の実施形態における機能ユニットは、1つの処理ユニットに統合されてもよく、または、ユニットの各々が物理的に単独に存在してもよく、または、2つ以上のユニットが1つのユニットに統合される。
【０１１４】
機能がソフトウェア機能ユニットの形態において実装され、独立した製品として販売または使用されるとき、機能は、コンピュータ可読記憶媒体において記憶されてもよい。そのような理解に基づいて、本質的に本出願の技術的解決策、または従来技術に寄与する部分、または技術的解決策のうちのいくつかは、ソフトウェア製品の形態において実装されてもよい。ソフトウェア製品は、記憶媒体内に記憶され、本出願の実施形態において説明した方法のステップのすべてまたはいくつかを実行するために(パーソナルコンピュータ、サーバ、ネットワークデバイスなどであってもよい)コンピュータデバイスに命令するためのいくつかの命令を含む。前述の記憶媒体は、USBフラッシュドライブ、リムーバブルハードディスク、読み取り専用メモリ(ROM、Read-Only Memory)、ランダムアクセスメモリ(RAM、Random Access Memory)、磁気ディスク、または光ディスクのような、プログラムコードを記憶することができる任意の媒体を含む。
【０１１５】
結論として、前述の説明は、単に本出願の具体的な実装形態であり、本出願の保護範囲を限定することを意図していない。本出願において開示される技術的範囲内で当業者によって容易に理解される任意の変形または置換は、本出願の保護範囲内に入るものとする。したがって、本出願の保護範囲は、特許請求の範囲の保護範囲に従うものとする。
【符号の説明】
【０１１６】
400  基地局
410  決定ユニット
420  マッピングユニット
430  送信ユニット
500  基地局
510  プロセッサ
520  トランシーバ
【図１】
0006790275.tif 000004
【図２】
0006790275.tif 000005
【図３】
0006790275.tif 000006
【図４】
0006790275.tif 000007
【図５】
0006790275.tif 000008